(57)【要約】  オブジェクトを表示する方法を提供する。この方法は、第１の装置側において、その第１の装置と１つ以上のオブジェクトを表示している第２の装置との間の距離を検出するステップと、上記距離が閾値よりも小さくなると、上記１つ以上のオブジェクトのうちの少なくとも１つのオブジェクトを上記第１の装置上に表示するステップと、を含む。【選択図】  図１
2016529607.tif 000002
【特許請求の範囲】
【請求項１】
オブジェクトを表示する方法であって、第１の装置側において、
前記第１の装置と第２の装置との間の距離を検出するステップであって、該第２の装置は１つ以上の複数のオブジェクトを表示する、該ステップと、
前記距離が閾値よりも小さい場合、前記１つ以上のオブジェクトのうちの少なくとも１つのオブジェクトを前記第１の装置上に表示するステップと、
を含む、前記方法。
【請求項２】
前記距離が前記閾値よりも小さいときに前記第１の装置上の接触を検出するステップと、
前記１つ以上のオブジェクトを前記第１の装置上に表示するステップと、
前記接触の解除を検出するステップと、
前記第１の装置と前記第２の装置との間の前記距離を検出するステップと、
前記距離が前記閾値よりも小さい場合、前記少なくとも１つのオブジェクト以外を除く前記１つ以上のオブジェクトを前記第１の装置から削除するステップと、
をさらに含む、請求項１に記載の方法。
【請求項３】
前記距離が前記閾値以上である場合、前記１つ以上のオブジェクトを前記第１の装置上に保持するステップをさらに含む、請求項２に記載の方法。
【請求項４】
オブジェクトを表示する方法であって、第２の装置側において、
第１の装置と１つ以上のオブジェクトを表示している前記第２の装置との間の距離を検出するステップと、
前記距離が閾値よりも小さい場合、前記１つ以上のオブジェクトのうちの少なくとも１つのオブジェクトを前記第２の装置から前記第１の装置に移すステップと、
を含む、前記方法。
【請求項５】
前記第１の装置に最も近い距離を有する前記少なくとも１つのオブジェクトを特定するステップをさらに含む、請求項１または４に記載の方法。
【請求項６】
前記少なくとも１つのオブジェクトに対するユーザの選択に基づいて前記少なくとも１つのオブジェクトを特定するステップをさらに含む、請求項１または４に記載の方法。
【請求項７】
前記第２の装置上に表示されている全てのオブジェクトが順序番号に関連付けられており、最大の順序番号または最小の順序番号を有する前記少なくとも１つのオブジェクトを特定するステップをさらに含む、請求項１または４に記載の方法。
【請求項８】
オブジェクトを表示する装置であって、
前記装置と第２の装置との間の距離を検出する入力モジュールと、
オブジェクトを表示する表示モジュールと、
前記距離が閾値よりも小さいか否かを判定し、前記距離が前記閾値よりも小さいと判定した場合、前記表示モジュールに前記第２の装置上に表示された１つ以上のオブジェクトのうちの少なくとも１つのオブジェクトを表示するように指示する処理モジュールと、
を備える、前記装置。
【請求項９】
前記入力モジュールは、前記装置への接触と前記装置への接触の解除とを検出するためにさらに用いられ、
前記処理モジュールは、前記距離が前記閾値よりも小さい間に接触が検出されると、前記表示モジュールに前記１つ以上のオブジェクトを表示するように指示し、前記距離が前記閾値よりも小さいときに接触の解除が検出されると、前記表示モジュールに前記少なくとも１つのオブジェクトを除く前記１つ以上のオブジェクトを削除するように指示する、ためにさらに用いられる、請求項８に記載の装置。
【請求項１０】
前記処理モジュールは、以下の手法のうちの１つに基づいて前記少なくとも１つのオブジェクトを特定するためにさらに用いられ、その手法が、ａ)前記少なくとも１つのオブジェクトが前記装置に最も近い距離を有する手法、ｂ)前記少なくとも１つのオブジェクトがユーザによって選択される手法、および、ｃ)全てのオブジェクトが順序番号に関連付けられ、前記少なくとも１つのオブジェクトが最大の順序番号または最小の順序番号に対応している手法、である、請求項９に記載の装置。
【発明の詳細な説明】
【技術分野】
【０００１】
本発明は、ユーザ・インタラクションに関し、具体的には、オブジェクトを表示する方法と装置に関する。
【背景技術】
【０００２】
複数スクリーンの対話性（例えば、セカンド・スクリーン、トリプル・プレーなど）は、複数のディスプレイおよび入力装置、例えば、ＴＶ、パーソナル・コンピュータ、モバイル機器、タブレットなどに関わるヒューマン・コンピュータ・インタラクション・テクノロジーであり、これによって、ユーザには、命令を出してメディア・コンテンツを消費する別の方法が与えられる。近年、ユーザは、もはや大きなコンピューティング・デスクトップに固定されることはなくなり、デジタル・エコシステムと情報ネットワークとに取り囲まれている。マルチ・デバイス・システムにおける課題は、直観的であるだけではなく、ユーザが容易にかつ迅速に多くの機能および特徴と対話することを可能にする対話技術を如何にして取り入れるかである。
【発明の概要】
【０００３】
本発明の一態様によれば、オブジェクトを表示する方法が提供される。この方法は、第１の装置側において、その第１の装置と第２の装置との間の距離を検出するステップであって、その第２の装置は１つ以上のオブジェクトを表示する、上記ステップと、その距離が閾値よりも小さい場合、上記１つ以上のオブジェクトのうちの少なくとも１つのオブジェクトを上記第１の装置上に表示するステップと、を含む。
【０００４】
この方法は、上記距離が上記閾値よりも小さいときに上記第１の装置上の接触を検出するステップと、上記１つ以上のオブジェクトを上記第１の装置上に表示するステップと、上記接触の解除を検出するステップと、上記第１の装置と上記第２の装置との間の上記距離を検出するステップと、その距離が上記閾値よりも小さい場合に、上記少なくとも１つのオブジェクトを除く上記１つ以上のオブジェクトを上記第１の装置から削除するステップと、をさらに含む。
【０００５】
この方法は、上記距離が上記閾値以上である場合、上記１つ以上のオブジェクトを上記第１の装置上に保持するステップをさらに含む。
【０００６】
本発明の別の一態様によれば、オブジェクトを表示する方法が提供される。この方法は、第２の装置側において、第１の装置と１つ以上のオブジェクトを表示している上記第２の装置との間の距離を検出するステップと、その距離が閾値よりも小さい場合、上記１つ以上のオブジェクトのうちの少なくとも１つのオブジェクトを上記第２の装置から上記第１の装置に移すステップと、を含む。
【０００７】
この方法は、上記第１の装置に最も近い距離を有する上記少なくとも１つのオブジェクトを特定するステップをさらに含む。
【０００８】
この方法は、上記少なくとも１つのオブジェクトに対するユーザの選択に基づいて上記少なくとも１つのオブジェクトを特定するステップをさらに含む。
【０００９】
さらに、上記第２の装置上に表示されている全てのオブジェクトが順序番号に関連付けられており、この方法は、最大の順序番号または最小の順序番号を有する上記少なくとも１つのオブジェクトを特定するステップをさらに含む。
【００１０】
本発明の別の一態様によれば、オブジェクトを表示する装置が提供され、この装置は、その装置と第２の装置との間の距離を検出する入力モジュールと、オブジェクトを表示する表示モジュールと、その距離が閾値よりも小さいか否かを判定し、その距離がその閾値よりも小さいと判定した場合、上記表示モジュールに上記第２の装置上に表示された１つ以上のオブジェクトのうちの少なくとも１つのオブジェクトを表示するように指示する処理モジュールと、を含む。
【００１１】
また、上記入力モジュールは、上記装置への接触と上記装置への接触の解除とを検出するためにさらに用いられ、上記処理モジュールは、上記距離が上記閾値よりも小さいときに接触が検出されると、上記表示モジュールに上記１つ以上のオブジェクトを表示するように指示し、上記距離が上記閾値よりも小さいときに接触の解除が検出されると、上記表示モジュールに上記少なくとも１つのオブジェクトを除く上記１つ以上のオブジェクトを削除するように指示するためにさらに用いられる。
【００１２】
また、上記処理モジュールは、以下の手法のうちの１つに基づいて前記少なくとも１つのオブジェクトを特定するためにさらに用いられ、その手法が、ａ)上記少なくとも１つのオブジェクトが上記装置に最も近い距離を有する手法、ｂ)上記少なくとも１つのオブジェクトがユーザによって選択される手法、および、ｃ)全てのオブジェクトが順序番号に関連付けられており、上記少なくとも１つのオブジェクトが最大の順序番号または最小の順序番号に対応している手法、である。
【００１３】
本発明の以下の詳細な説明において、本発明のさらなる態様および利点が見出される。
【図面の簡単な説明】
【００１４】
【図１】本発明の一実施形態に係る２つの装置間で表示コンテンツを移動させるシステムを示すブロック図である。
【図２Ａ】本発明の実施形態に係る２つのタブレット間におけるオブジェクトの移動についての例を示す図である。
【図２Ｂ】本発明の実施形態に係る２つのタブレット間におけるオブジェクトの移動についての例を示す図である。
【図２Ｃ】本発明の実施形態に係る２つのタブレット間におけるオブジェクトの移動についての例を示す図である。
【図２Ｄ】本発明の実施形態に係る２つのタブレット間におけるオブジェクトの移動についての例を示す図である。
【図２Ｅ】本発明の実施形態に係る２つのタブレット間におけるオブジェクトの移動についての例を示す図である。
【図３】本発明の実施形態に係る２つのタブレット間でオブジェクトを移す方法を示すフローチャートである。
【発明を実施するための形態】
【００１５】
発明のさらなる理解を提供し、かつ、本願に組み込まれて本願の一部を構成する添付図面は、この詳細な説明により説明されるように本発明の一実施形態を例示するために用いられる。本発明はこの実施形態に限定されない。
【００１６】
以下、本発明の実施形態を図面と共に詳細に説明する。以下の説明において、一部の周知の機能および構成についての詳細な説明は明瞭性および簡潔性のために省略することもある。
【００１７】
本発明は、ユーザに自然なインタラクション体験を与えるために、マルチ・スクリーン・インタラクションのための方法、装置およびシステムを提供する。２つのスクリーン上の１つ以上の表示オブジェクトが、両スクリーンが互いに近づけられたとき、あるいは、互いに遠ざけられたときに、両スクリーン間で移される。
【００１８】
図１は、本発明の実施形態に係る、２つの装置間で表示コンテンツを移すシステムを示すブロック図である。この実施形態において、このシステムは、２つの同一の装置１００Ａと１００Ｂを含む。各々の装置は、入力モジュール１０１、処理モジュール１０２、表示モジュール１０３、通信モジュール１０４、および、データを記憶する記憶装置（図示せず）を有している。これらの機能およびハードウェアの実装の形態を以下に説明する。
【００１９】
入力モジュール１０１はユーザ入力の受信に用いられ、このユーザ入力には、タッチ・スクリーン上でのシングル・タッチ、マルチ・タッチ、および、ボタン・プレスのみならず、装置のモーション入力も含まれる。このモーション入力には、例えば、一方の装置が他方の装置に向かう、あるいは、他方の装置から遠のく並進運動と、装置の回転運動とが含まれる。従って、入力モジュール１０１に対応するハードウェアには、タッチ・スクリーン、物理的なボタン、および、１つ以上のセンサ（例えば、ジャイロ・センサ、Ｇセンサ、磁界センサ、加速度センサ、距離センサ、近接センサなど）が含まれる。以下に示す例では、１つのセンサ、すなわち、磁界センサを用いて両装置間の距離と運動方向とを検出するが、これは、磁界センサが、ｘ方向、ｙ方向およびｚ方向に沿う磁界強度の大きさを供給できるからである。なお、距離と運動方向とを検出するためにその他のセンサを使用することも可能である。
【００２０】
処理モジュール１０２は、アルゴリズムに従ってデータを処理し、表示のために表示モジュール１０３にデータを供給し、他方の装置に送信するために通信モジュール１０４にデータを供給することに用いられる。本発明の方法に関して以下に詳細を説明する。処理モジュール１０２に対応するハードウェアには、中央処理装置（ＣＰＵ）が含まれるが、場合によっては、画像データを表示用に処理するグラフィック・プロセッシング・ユニット（ＧＰＵ）が含まれることもある。
【００２１】
表示モジュール１０３はコンテンツの表示に用いられる。表示モジュール１０３に対応するハードウェアにはタッチ・スクリーンが含まれる。一実施形態において、コンテンツは、ウィンドウ、ボックス、イメージ、ドキュメント、アイコンなどを含むコンピュータ・オブジェクトである。
【００２２】
通信モジュール１０４はデータの送受信に用いられる。通信モジュール１０４に対応するハードウェアには、ネットワーク・インタフェース、または、ネットワーク・アダプタが含まれる。このハードウェアは、有線ネットワーク・アダプタ、例えばケーブル、あるいは、無線ネットワーク・アダプタ、例えばＢｌｕｅｔｏｏｔｈ（登録商標）、ＺｉｇＢｅｅ、ＷｉＦｉまたはＷｉＭＡＸであってもよい。
【００２３】
図２Ａから図２Ｅには、２つのタブレット２０３および２０４の間でのオブジェクトの移動についての一例が示されている。この例では、３つのオブジェクト、すなわち、オブジェクトＡ、オブジェクトＢおよびオブジェクトＣが存在する。この例では、オブジェクトＡ、ＢおよびＣは画像である。なお、オブジェクトＡ、ＢおよびＣのタイプは相異なるものであってもよく、例えば、オブジェクトＡは画像、オブジェクトＢはその画像についてのテキストのコメントを保持するウィンドウまたはボックス、オブジェクトＣは外部のドキュメントにリンクするアイコンである。具体的には、図２Ａから図２Ｃは第１の装置２０３から第２の装置２０４へのオブジェクトＣの移動を示し、図２Ｄは指と第１の装置との接触が維持された状態で第２の装置２０４から第１の装置２０３へのオブジェクトＣの移動を示し、図２Ｅは指と第２の装置との接触が維持された状態で第１の装置２０３から第２の装置２０４へのオブジェクトＡおよびＢの移動を示す。
【００２４】
図２Ａのビュー２１１において、切り離し可能ユーザ・インタフェース２２０の全てのコンテンツ（オブジェクトＡ、ＢおよびＣ)が第１のスクリーン２０３上に表示されており、第２のスクリーン２０４上には、切り離し可能ユーザ・インタフェース２２０のコンテンツは何も表示されていない。第１の装置と第２の装置が、互いに近づけられる。参照番号２０７と２０８は、並進運動の方向を示している。ここで、「切り離し可能」とは、ユーザ・インタフェースに示された切り離し可能なオブジェクトのうちの任意のオブジェクトを別の装置に移してその他のオブジェクトから分離できることを意味している。
【００２５】
図２Ｂのビュー２１２において、両装置が近づけられて互いに接触すると、あるいは、両装置の相互間の距離が所定の閾値よりも小さくなると、ユーザ・インタフェース（ＵＩ）  ２２０のオブジェクトＣ  ２２３が第２の装置のスクリーンに移される。オブジェクトＡ２２１およびオブジェクトＢ２２２は第１の装置のスクリーン上に残り、それらのオブジェクトの幅は、オブジェクトＣの移動によって生じたブランクの領域をなくすために、スクリーンの幅にスケーリングされる。
【００２６】
図２Ｃのビュー２１３において、両装置は互いに遠ざけられて、オブジェクトＡ２２１およびオブジェクトＢ２２２は第１の装置上に残り、オブジェクトＣ２２３は第２の装置上に残る。したがって、ユーザ・インタフェース２２０のコンテンツは、一方のスクリーンから両方のスクリーンに分離される。
【００２７】
図２Ｄのビュー２１４において、両装置は、第１の装置のスクリーンへのタッチが維持された状態で互いに遠ざけられて、オブジェクトＣが第１の装置に移され、全オブジェクトの幅が、スクリーン幅に基づいてスケーリングされ、すなわち、全てのオブジェクトを含む領域の幅が第１の装置のスクリーンの幅に等しくなる。
【００２８】
図２Ｅのビュー２１５において、両装置は、第２の装置のスクリーンへのタッチが維持された状態で互いに遠ざけられて、オブジェクトＡおよびＢが第２の装置に移され、全オブジェクトの幅が、スクリーン幅に基づいてスケーリングされ、すなわち、全てのオブジェクトを含む領域の幅が第２の装置のスクリーンの幅に等しくなる。
【００２９】
図３は、本発明の実施形態に係る２つのタブレット間でオブジェクトを移す方法を示すフローチャートである。
【００３０】
ステップ３０１において、２つの装置が起動される。両装置は、起動後に自己の通信モジュールを介して互いに自動的に接続される。
【００３１】
ステップ３０２において、両装置は、磁界センサを有しているので、各々、両者間の距離の変化を感知できる。その距離が所定の閾値よりも小さいと判定されると（２つの装置の両方が判定できるか、あるいは、一方の装置のみが判定してメッセージを用いて他方の装置に判定結果を通知する。）、ステップ３０３に移行する。実際、この例では磁界センサが使用されているので、判定のステップは、磁界センサによって出力された磁界強度が所定の磁界強度値よりも大きいか否かについての判定に単純化できる。
【００３２】
ステップ３０３において、一方の装置が全てのオブジェクトを表示しているか否か、すなわち、一方の装置が１つ以上のオブジェクトを表示しており、かつ、他方の装置がオブジェクトを全く表示していないか否かが判定される。この判定は２つの手法で実施できる。すなわち、ａ)両装置が、自己の表示オブジェクトについての情報を互いに送り合い、その自己の表示オブジェクトについての情報と他方の装置上での表示オブジェクトについての受信情報とに基づいて、自ら判定を行う、ｂ)一方の装置がホスト装置とマーク付けされ、他方の装置がクライアント装置としてマーク付けされ、クライアント装置が自己の表示オブジェクトについての情報をホスト装置に送り、ホスト装置が、このホスト装置上での表示オブジェクトについての情報とクライアント装置上での表示オブジェクトについての受信情報とに基づいて、判定を行う。一方の装置が全てのオブジェクトを表示していると判定された場合は、ステップ３０４に移行し、そうでない場合は、ステップ３０６に移行する。
【００３３】
ステップ３０４において、オブジェクトを表示しない装置との距離が最も近い１つ以上のオブジェクトが特定される。この特定するステップは以下のように実行される。ａ）全てのオブジェクトを表示している装置のどの側面（上側面、下側面、左側面、右側面）が、他方の装置に最も近い側面であるかを磁界強度によって判定し、ｂ）全てのオブジェクトを表示している装置上の表示オブジェクトの位置情報を取得し、ｃ）上記の磁界強度と表示オブジェクトの位置情報とに基づいて上記の１つ以上のオブジェクトを特定する。図２Ａに示された一例において、ａ）第２の装置２０４が第１の装置２０３の上側面に接触、あるいは、近接された場合は、オブジェクトＡとＣが第２の装置２０４に対して最も近い距離を有していると特定され、ｂ）第２の装置２０４が第１の装置２０３の下側面に接触、あるいは、近接された場合は、オブジェクトＢとＣが第２の装置２０４に対して最も近い距離を有していると特定され、ｃ）第２の装置２０４が第１の装置２０３の左側面に接触、あるいは、近接された場合は、オブジェクトＡとＢが第２の装置２０４に対して最も近い距離を有していると特定され、ｄ)第２の装置２０４が第１の装置２０３の右側面に接触、あるいは、近接された場合は、オブジェクトＣが第２の装置２０４に対して最も近い距離を有していると特定される。
【００３４】
ステップ３０５において、上記特定された１つ以上のオブジェクトが、オブジェクトを表示していない装置に移されて、その１つ以上のオブジェクトのサイズが、オブジェクトを表示していない装置のスクリーン・サイズにスケーリングされる。上記１つ以上のオブジェクトの外部への移動後に、残りのオブジェクトのサイズが、以前に全てのオブジェクトを表示していた装置のスクリーン・サイズにスケーリングされる。両装置が互いに遠ざけられると、上記１つ以上のオブジェクトは、以前にオブジェクトを表示していなかった装置上に残る。
【００３５】
ステップ３０６において、一方の装置が、その装置へのタッチを検出する。
【００３６】
ステップ３０７において、タッチされていない装置上のオブジェクトが、タッチされている装置に移され、その結果、全てのオブジェクトがタッチされている装置上に表示され、全てのオブジェクトを保持する領域のサイズがスクリーン・サイズにスケーリングされる。ここで、その領域内に全てのオブジェクトを配置する手法は多数ある。第１の手法では、全てのオブジェクトの絶対的位置、または、相対的位置が、データベース内で予め規定される。第２の手法では、タッチされていない装置からのオブジェクトが、タッチされている装置のスクリーン内の空き領域、すなわち、未使用領域に移されて配置される。第３の方法では、タッチされている装置が、先ず、そのタッチされている装置においてオブジェクトを保持している領域とタッチされていない装置においてオブジェクトを保持している領域とを結合して新たな領域を形成し、次に、その新たな領域のサイズをスクリーン・サイズに縮小する。タッチ（あるいは、ユーザの指またはその他のタッチする物体とスクリーンとの接触とも云う）の解除後に全てのオブジェクトをタッチされていた装置上に残留させるためには、接触が維持された状態で両装置を互いに遠ざけることによって両装置相互間の距離が所定の閾値よりも大きくなるまで、そのタッチを解除しないようにする。
【００３７】
ここで、両装置相互間の距離が所定の閾値よりもまだ小さいときに装置上のタッチが解除された場合、これに対処する方法が２つある。第１の手法は、（図３に示されている）ステップ３０４に移行する。これは、タッチされている装置に表示されていた全てのオブジェクトのうちの１つ以上のオブジェクトが、タッチされていない装置に移されることを意味する。第２の手法では、タッチされていない装置上に以前に表示されていたオブジェクトが、そのタッチされていない装置に戻される。第２の手法を可能にするために、各々の装置は、ステップ３０６においてタッチされる前にどのオブジェクトが自己の装置上に表示されているかについての情報を記憶するデータベースを有する。
【００３８】
本実施形態の一変形によれば装置は、装置が移動されたか否かを検知する加速度センサをさらに有し、したがって、磁界センサは、加速度センサが移動を検知した時にのみ起動される。
【００３９】
本実施形態においては、１つ以上のオブジェクトが、一方の装置に表示されたオブジェクトから他方の装置までの距離に基づいて特定される。本実施形態の一変形では、ステップ３０２の後で、ユーザが他方の装置に移動する１つ以上のオブジェクトを選択できる。
【００４０】
本実施形態において、両装置は、共にタブレットであり、同じハードウェア構成要素を有する。この実施形態の別の変形によれば、両装置は、同じハードウェア構成要素を有していない。例えば、一方の装置はＳＴＢでありこれにＴＶまたはディスプレイが接続され、他方の装置はタブレットである。ＳＴＢとタブレットは互いに接続されており、磁界センサがＴＶに配置され、タッチはタブレット上にのみ適用できる。タブレットをＴＶに近づけることによってタブレットとＴＶとの間の距離が所定の閾値よりも小さくなると、ステップ３０３、３０４、３０５、３０６および３０７が実行される。
【００４１】
本実施形態の一変形によれば、１つ以上のオブジェクトが、他方の装置に移される代わりに、その１つ以上のオブジェクトのコピーが、一方の装置から他方の装置に送られる。
【００４２】
本実施形態の一変形によれば、一方の装置上に表示された全てのオブジェクトが順序番号を有しており、他方の装置に順番に１つずつ移されるが、これは、ステップ３０３、３０４、３０５、３０６および３０７がこの一変形実施形態では行われないことを意味し、両装置相互間の距離が所定の閾値よりも小さくなる度に、最大または最小の順序番号を有する１つのオブジェクトが他方の装置に移される。
【００４３】
本実施形態の一変形によれば、ステップ３０１、３０２、３０４および３０５のみが用いられる。ステップ３０２において、オブジェクトを表示している第１の装置とオブジェクトを表示していない、あるいは、いくつかのオブジェクトを表示し得る第２の装置との間の距離が所定の閾値よりも小さくなると、ステップ３０４において第１の装置における１つ以上のオブジェクトが特定され、ステップ３０５においてその特定された１つ以上のオブジェクトが第２の装置に移される。ここで、その特定された１つ以上のオブジェクトは、そこで現在表示されているオブジェクト（そのようなオブジェクトが有っても無くてもよいが）に追加され、あるいは、そのオブジェクトと取り替えられる。
【００４４】
以上、多数の実施形態を説明した。それでもやはり、種々の修正が可能であることは理解されるであろう。例えば、相異なる実施形態の要素を組み合わせて、または補って、または修正して、または取り除いて、別の実施形態を作成してもよい。さらに、当業者であれば、ここに開示された構成および処理の代わりに別のものを代用して、その結果として得られる実施形態が、ここに開示された実施形態と少なくとも実質的に同じやり方で、少なくとも実質的に同じ機能を果たして、少なくとも実質的に同じ効果を実現できることが分かるであろう。したがって、これらの実施形態およびその他の実施形態は、本願によって予期されているものであり、後述の特許請求の範囲に規定された本発明の範囲内にある。
【図１】
2016529607.tif 000003
【図２Ａ】
2016529607.tif 000004
【図２Ｂ】
2016529607.tif 000005
【図２Ｃ】
2016529607.tif 000006
【図２Ｄ】
2016529607.tif 000007
【図２Ｅ】
2016529607.tif 000008
【図３】
2016529607.tif 000009
【手続補正書】
【提出日】平成28年3月23日(2016.3.23)
【手続補正１】
【補正対象書類名】特許請求の範囲
【補正対象項目名】全文
【補正方法】変更
【補正の内容】
【特許請求の範囲】
【請求項１】
オブジェクトを表示する方法であって、第１の装置側において、
前記第１の装置と第２の装置との間の距離を検出するステップであって、該第２の装置は１つ以上のオブジェクトを表示している、該ステップと、
前記第１の装置と前記第２の装置との間の前記距離に応じて、前記１つ以上のオブジェクトのうちの少なくとも１つのオブジェクトを前記第１の装置によって表示するステップであって、前記少なくとも１つのオブジェクトは、前記第２の装置上に以前全て表示されていた前記１つ以上のオブジェクトのうちの残りのオブジェクトに比べて、前記第１の装置に最も近い距離を有していた、該ステップと、
を含む、前記方法。
【請求項２】
前記距離が閾値よりも小さいときに前記第１の装置上のタッチする物体の接触を検出するステップと、
前記接触が保たれている間、前記１つ以上のオブジェクトを前記第１の装置上に表示するステップと、
前記タッチする物体の接触の解除を検出するステップと、
前記接触の解除の後で前記第１の装置と前記第２の装置との間の前記距離を検出するステップと、
前記距離が前記閾値よりも小さい場合、前記少なくとも１つのオブジェクトを除く前記１つ以上のオブジェクトを前記第１の装置から削除するステップと、
をさらに含む、請求項１に記載の方法。
【請求項３】
前記距離が前記閾値以上である場合、前記１つ以上のオブジェクトを前記第１の装置上に保持するステップをさらに含む、請求項２に記載の方法。
【請求項４】
オブジェクトを表示する方法であって、第２の装置側において、
第１の装置と１つ以上のオブジェクトを表示している前記第２の装置との間の距離を検出するステップと、
前記距離が閾値よりも小さい場合、前記１つ以上のオブジェクトのうちの少なくとも１つのオブジェクトを前記第２の装置から前記第１の装置に移すステップと、
を含む、前記方法。
【請求項５】
前記少なくとも１つのオブジェクトを特定するステップをさらに含む、請求項１または４に記載の方法。
【請求項６】
オブジェクトを表示する装置であって、
前記装置と第２の装置との間の距離を検出する入力センサと、
オブジェクトを表示する表示スクリーンと、
前記距離が閾値よりも小さいか否かを判定し、前記装置と前記第２の装置との間の前記距離に応じて、前記表示スクリーンに１つ以上のオブジェクトのうちの少なくとも１つのオブジェクトを表示するように指示するプロセッサであって、前記少なくとも１つのオブジェクトは、前記第２の装置上に全て表示された前記１つ以上のオブジェクトのうちの残りのオブジェクトに比べて、前記装置に最も近い距離を有する、該プロセッサと、
を備える、前記装置。
【請求項７】
前記入力センサは、前記装置への接触と前記装置への接触の解除とを検出するためにさらに用いられ、
前記プロセッサは、前記距離が前記閾値よりも小さい間にタッチする物体の接触が検出されると、前記接触が保たれている間前記表示スクリーンに前記１つ以上のオブジェクトを表示するように指示し、前記距離が前記閾値よりも小さいときに前記タッチする物体の接触の解除が検出されると、前記表示スクリーンに前記少なくとも１つのオブジェクトを除く前記１つ以上のオブジェクトを削除するように指示する、ためにさらに用いられる、請求項６に記載の装置。
【請求項８】
前記プロセッサは、以下の手法のうちの１つに基づいて前記少なくとも１つのオブジェクトを特定するためにさらに用いられ、その手法が、ａ)前記少なくとも１つのオブジェクトが前記装置に最も近い距離を有する手法、ｂ)前記少なくとも１つのオブジェクトがユーザによって選択される手法、および、ｃ)全てのオブジェクトが順序番号に関連付けられ、前記少なくとも１つのオブジェクトが最大の順序番号または最小の順序番号に対応している手法、である、請求項７に記載の装置。
【手続補正書】
【提出日】平成28年7月12日(2016.7.12)
【手続補正１】
【補正対象書類名】明細書
【補正対象項目名】００４４
【補正方法】変更
【補正の内容】
【００４４】
以上、多数の実施形態を説明した。それでもやはり、種々の修正が可能であることは理解されるであろう。例えば、相異なる実施形態の要素を組み合わせて、または補って、または修正して、または取り除いて、別の実施形態を作成してもよい。さらに、当業者であれば、ここに開示された構成および処理の代わりに別のものを代用して、その結果として得られる実施形態が、ここに開示された実施形態と少なくとも実質的に同じやり方で、少なくとも実質的に同じ機能を果たして、少なくとも実質的に同じ効果を実現できることが分かるであろう。したがって、これらの実施形態およびその他の実施形態は、本願によって予期されているものであり、後述の特許請求の範囲に規定された本発明の範囲内にある。
〔付記１〕
オブジェクトを表示する方法であって、第１の装置側において、
前記第１の装置と第２の装置との間の距離を検出するステップであって、該第２の装置は１つ以上の複数のオブジェクトを表示する、該ステップと、
前記距離が閾値よりも小さい場合、前記１つ以上のオブジェクトのうちの少なくとも１つのオブジェクトを前記第１の装置上に表示するステップと、
を含む、前記方法。
〔付記２〕
前記距離が前記閾値よりも小さいときに前記第１の装置上の接触を検出するステップと、
前記１つ以上のオブジェクトを前記第１の装置上に表示するステップと、
前記接触の解除を検出するステップと、
前記第１の装置と前記第２の装置との間の前記距離を検出するステップと、
前記距離が前記閾値よりも小さい場合、前記少なくとも１つのオブジェクト以外を除く前記１つ以上のオブジェクトを前記第１の装置から削除するステップと、
をさらに含む、付記１に記載の方法。
〔付記３〕
前記距離が前記閾値以上である場合、前記１つ以上のオブジェクトを前記第１の装置上に保持するステップをさらに含む、付記２に記載の方法。
〔付記４〕
オブジェクトを表示する方法であって、第２の装置側において、
第１の装置と１つ以上のオブジェクトを表示している前記第２の装置との間の距離を検出するステップと、
前記距離が閾値よりも小さい場合、前記１つ以上のオブジェクトのうちの少なくとも１つのオブジェクトを前記第２の装置から前記第１の装置に移すステップと、
を含む、前記方法。
〔付記５〕
前記第１の装置に最も近い距離を有する前記少なくとも１つのオブジェクトを特定するステップをさらに含む、付記１または４に記載の方法。
〔付記６〕
前記少なくとも１つのオブジェクトに対するユーザの選択に基づいて前記少なくとも１つのオブジェクトを特定するステップをさらに含む、付記１または４に記載の方法。
〔付記７〕
前記第２の装置上に表示されている全てのオブジェクトが順序番号に関連付けられており、最大の順序番号または最小の順序番号を有する前記少なくとも１つのオブジェクトを特定するステップをさらに含む、付記１または４に記載の方法。
〔付記８〕
オブジェクトを表示する装置であって、
前記装置と第２の装置との間の距離を検出する入力モジュールと、
オブジェクトを表示する表示モジュールと、
前記距離が閾値よりも小さいか否かを判定し、前記距離が前記閾値よりも小さいと判定した場合、前記表示モジュールに前記第２の装置上に表示された１つ以上のオブジェクトのうちの少なくとも１つのオブジェクトを表示するように指示する処理モジュールと、
を備える、前記装置。
〔付記９〕
前記入力モジュールは、前記装置への接触と前記装置への接触の解除とを検出するためにさらに用いられ、
前記処理モジュールは、前記距離が前記閾値よりも小さい間に接触が検出されると、前記表示モジュールに前記１つ以上のオブジェクトを表示するように指示し、前記距離が前記閾値よりも小さいときに接触の解除が検出されると、前記表示モジュールに前記少なくとも１つのオブジェクトを除く前記１つ以上のオブジェクトを削除するように指示する、
ためにさらに用いられる、付記８に記載の装置。
〔付記１０〕
前記処理モジュールは、以下の手法のうちの１つに基づいて前記少なくとも１つのオブジェクトを特定するためにさらに用いられ、その手法が、ａ)前記少なくとも１つのオブジェクトが前記装置に最も近い距離を有する手法、ｂ)前記少なくとも１つのオブジェクトがユーザによって選択される手法、および、ｃ)全てのオブジェクトが順序番号に関連付けられ、前記少なくとも１つのオブジェクトが最大の順序番号または最小の順序番号に対応している手法、である、付記９に記載の装置。
【国際調査報告】
2016529607.tif 000010
2016529607.tif 000011